(57)【特許請求の範囲】
【請求項１】
超音波診断装置の上面部において、操作部と隣接して設けられ、超音波プローブの基端側に設けられた電気的接続部が着脱自在に接続されるコネクタ部と、
前記コネクタ部に対して上部より開閉自在に設けられた蓋部と、
前記コネクタ部の周囲に配されて上面開口を形成し、前記蓋部を係合すると共に、前記コネクタ部に水の流入を防ぐ防水機構を備えた枠体部と、
を設けたことを特徴とする超音波診断装置。
【請求項２】
前記枠体部の防水機構は、前記コネクタ部に前記水の流入を防ぐための溝部を有することを特徴とする請求項１記載の超音波診断装置。
【請求項３】
前記枠体部の防水機構は、前記コネクタ部に前記水の流入を防ぐための防水枠を有することを特徴とする請求項１記載の超音波診断装置。
【請求項４】
前記枠体部において、前記溝部は、前記蓋部の縁の下端部を収納し、前記防水枠は、前記蓋部の縁の下端部より内側に位置するように形成したことを特徴とする請求項１〜３のいずれかに記載の超音波診断装置。
【請求項５】
前記蓋部の開操作が可能であり、この開操作により前記蓋部を所定の開状態となるように停止位置まで移動させるレバーを備えたことを特徴とする請求項１〜４のいずれかに記載の超音波診断装置。
【発明の詳細な説明】
【０００１】
【発明の属する技術分野】
本発明は、超音波診断を行う超音波プローブや超音波内視鏡等が接続される超音波診断装置に関する。
【０００２】
【従来の技術】
従来より、超音波プローブや超音波内視鏡の超音波振動子から生体組織内に超音波パルスを繰り返し送信し、生体組織から反射される超音波パルスのエコーを同一あるいは別体に設けた超音波振動子で受信するとともに、この超音波パルスを送受信する方向を徐々にずらすことによって、生体内の被検部位における複数の方向から収集したエコー情報を二次元的な可視像の超音波断層画像として表示し、病気の診断等に用いる超音波診断装置が種々提案されている。
【０００３】
このような超音波診断装置としては、体外式超音波プローブによるものが一般的であるが、内視鏡観察下において癌化した粘膜組織、ポリープ等の病変部を含む被検部位の超音波断層画像を得るようにした体内式超音波プローブを備えた内視鏡装置等も用いられている。
【０００４】
従来の超音波診断装置では、例えば図１４に示すように図示しない超音波プローブや超音波内視鏡が接続される超音波診断装置本体１００の接続口であるコネクタ部１０１の開口を装置本体１００の側面に配置していた。
【０００５】
このため、観察の際に水を使用する超音波内視鏡で診断を行った場合でも、前記接続口を介してコネクタ部１０１に水がかかり難く、また保管状態においても埃等がコネクタ部１０１に溜まることがなかった。したがって、通常、コネクタ部１０１の接続口は、剥き出し状態であり、長時間使用されないときに取付け可能な保護キャップとしてコネクタキャップ１０２が用意されていた。 また、別の形態として、図１５に示すようなモニタ一体型の超音波診断装置１０６もあった。
【０００６】
近年では内視鏡診断及び超音波診断の両方を行う医療施設が増加している。このため、そのような施設では診察室内のスペースの有効利用や操作性の向上を目的にして、超音波診断装置と内視鏡装置とを１つのシステムとしてひとまとめにしたものが望まれていた。
【０００７】
【発明が解決しようとする課題】
しかしながら、前記超音波診断装置本体１０６は非常に大型で、診療室内のスペースを有効に利用できなかった。また、一体型でモニタを備えていても、内視鏡装置のために用意するモニタと二重に用意することになるので、非効率的であった。
【０００８】
前記超音波診断装置本体１００はモニタ一体型ではないが、側面にコネクタ部の開口が設けられているため特に高さ方向の寸法が大きくなってしまう。このため、トロリーに対する占有スペースが大きく、所望のシステムを構築する際、トロリーに必要な装置を全て搭載できなくなる要因になっていた。
【０００９】
そして、システムとして必要な装置全てを１つのトロリーへ搭載するには、少なくとも、前記超音波診断装置本体の小型化、特に薄型化を図らなければならない。そして、装置本体の小型化、薄型化を図るために、装置本体の上面側に操作パネルとコネクタとを並べて配置することが有効であるが、装置本体の上面側にコネクタを配置することによって、コネクタ開口が上向きになって、水がかかり易くなるばかりでなく、保管中に埃が溜まって、故障や不具合の原因になるおそれがあった。
【００１０】
その問題を解消するため、コネクタ開口を塞ぐコネクタキャップを従来のように用意することも考えられるが、着脱の煩わしさがあるとともに、このコネクタキャップを紛失するおそれがあった。
【００１１】
本発明は上記事情に鑑みてなされたものであり、装置本体の小型化、特に薄型化を図り、コネクタ開口に水がかかることや、埃が溜まることを防止した超音波診断装置を提供することを目的にしている。
【００１２】
【課題を解決するための手段】
本発明による超音波診断装置は、超音波診断装置の上面部において、操作部と隣接して設けられ、超音波プローブの基端側に設けられた電気的接続部が着脱自在に接続されるコネクタ部と、前記コネクタ部に対して上部より開閉自在に設けられた蓋部と、前記コネクタ部の周囲に配されて上面開口を形成し、前記蓋部を係合すると共に、前記コネクタ部に水の流入を防ぐ防水機構を備えた枠体部と、を設けたことを特徴とし、また、前記枠体部の防水機構は、前記コネクタ部に前記水の流入を防ぐための溝部を有することを特徴とし、さらに、前記枠体部の防水機構は、前記コネクタ部に前記水の流入を防ぐための防水枠を有することを特徴とする。
また、前記溝部は、前記蓋部の縁の下端部を収納し、前記防水枠は、前記蓋部の縁の下端部より内側に位置するように形成したことを特徴とする。
また、前記蓋部の開操作が可能であり、この開操作により前記蓋部を所定の開状態となるように停止位置まで移動させるレバーを備えたことを特徴とする。
【００１３】
この構成によれば、装置本体の上面にコネクタ部を設けたことによって装置本体の厚さが薄くなる。また、このコネクタ部の周囲に配された枠体部の上面開口を蓋部によって閉状態にすることにより、コネクタ部に水がかかったり、埃が溜まることが防止される。
【００１４】
【発明の実施の形態】
以下、図面を参照して本発明の実施の形態を説明する。
図１ないし図１３は本発明の一実施形態に係り、図１は超音波診断装置を説明する図、図２は超音波診断装置本体を示す図、図３は図２のＢ−Ｂ線断面図、図４は図２のＣ−Ｃ線断面図、図５はコネクタ部へ超音波内視鏡のプローブコネクタ部を接続した状態を示す図、図６は図２のＤ−Ｄ線断面図、図７は図２のＥ−Ｅ線断面図、図８は蓋部の開状態位置を示す図、図９は蓋の最大開状態位置を示す図、図１０は超音波診断装置本体をトロリーに載置させて内視鏡診断及び超音波診断が可能なシステムを示す図、図１１は超音波診断装置本体に接続するキーボードをトロリーのトレイに固定する従来の構造を説明する図、図１２は引き出しタイプのトレイと超音波診断装置本体との関係を説明する図、図１３は超音波診断装置本体の取付け構造を説明する図である。
【００１５】
なお、図２（ａ）は超音波診断装置本体の上面図、図２（ｂ）は図２（ａ）の矢印Ａ側から超音波診断装置本体を見た図、図４（ａ）は閉状態の蓋部と導光体との位置関係を説明する図、図４（ｂ）は導光体の光出射端面の他の構成を示す図、図１０（ａ）はトロリーに載置されたシステムを示す正面図、図１０（ｂ）はトロリーに載置された超音波診断装置本体を示す側面図、図１２（ａ）はトレイに載置された超音波診断装置本体を上側から見たときの図、図１２（ｂ）は図１２（ａ）の正面図、 図１２（ｃ）は図１２（ａ）の側面図、図１３（ａ）は図１２（ｂ）の取付け構造を説明するＧ−Ｇ線断面図、図１３（ｂ）は図１３（ａ）を矢印Ｈ方向から見たときの図、図１３（ｃ）はフックと嵌合部材との関係を説明する図、図１３（ｄ）はフックを説明する図、図１３（ｅ）は嵌合部材を説明する図である。
【００１６】
図１に示すように本実施形態の超音波診断装置１は、体腔内に挿通される挿入部２１の先端部に図示しない超音波振動子を内蔵し、電気的接続部としてプローブコネクタ部２２を設けた超音波内視鏡２と、このプローブコネクタ部２２が着脱自在に接続される被接続部となるコネクタ部３１を備え、超音波駆動信号の生成及び受信した超音波信号の処理等を行う図示しない超音波送受信回路等を内蔵した超音波診断装置本体（以下診断装置本体と略記する）３と、この診断装置本体３に映像ケーブル（図２符号３ｂ参照）を介して接続され、超音波診断画像を表示する後述する表示装置とで主に構成される。
【００１７】
図１及び図２（ａ）、（ｂ）に示すように前記診断装置本体３には前記コネクタ部３１の他に、前記超音波内視鏡及び表示装置等の外部装置に対して各種操作指示を行う操作部となるコントロールパネル３２が設けられている。
【００１８】
前記コントロールパネル３２は、例えば超音波エコーの増幅度を調整するゲインスイッチ、超音波画像の更新を停止させるフリーズスイッチ等の超音波機能を制御する各種スイッチと、英数字、片仮名、平仮名等の入力を行うキーボードスイッチ等で構成されている。
【００１９】
なお、符号３ａは電源スイッチである。また前記コントロールパネル３２は、防水加工されたシート状スイッチ等、防水型又は耐水型の部材で構成することが望ましい。
【００２０】
図１ないし図３に示すように前記コネクタ部３１は、前記超音波内視鏡２のプローブコネクタ部２２の形状に略一致した形状の空間部を形成する枠体部３３の底面に設けられている。前記コネクタ部３１には前記プローブコネクタ部２２に設けられている電気接点（不図示）と電気的に導通する電気接点（不図示）が配置されている。
【００２１】
前記診断装置本体３を構成する前記枠体部３３には枠体上面開口３４に対して開閉自在で、前記コネクタ部３１が露出してコネクタ接続が可能な状態又は前記コネクタ部３１を被った状態にする蓋部３５が設けてある。
【００２２】
そして、この蓋部３５を診断装置本体３に対して開状態にすると、前記枠体部３３の内部に配置されたコネクタ部３１が露出した状態になるとともに、前記蓋部３５の後述するレバーと係止されて閉状態を構成する係止爪３６や前記電源スイッチ３ａのＯＮ／ＯＦＦに連動して点灯／消灯して電源スイッチ３ａがＯＮ状態であるか否かを告知するＬＥＤ３７が表れる。
【００２３】
なお、符号３８は前記蓋部３５を開動作させる際に使用する蓋部３５に介して回動自在に配置されたレバーであり、符号３９は前記ＬＥＤ３７から発する光を導光する光学路となる透明樹脂等で形成された導光部材であり、図４（ａ）に示すように前記蓋３５を閉状態にすることによって、ＬＥＤ３７の光出射端面を被うように配置される。このとき、電源スイッチ３ａがＯＮ状態であるとＬＥＤ３７が点灯して、このＬＥＤ３７から発する光が前記導光部材３９の光入射端面から入射し、この導光部材３９内を反射しながら進んで光出射端面から出射される。このことにより、電源スイッチ３ａのＯＮ状態を蓋３５が閉じた状態でも確認することができる。
【００２４】
そして、図４（ｂ）に示すように光出射端面に細かな凹凸部３９ａを形成することによって、この光出射端面から出射される光がこの凹凸部３９ａで拡散されるので装置から離れた位置での視認性が向上する。
【００２５】
また、前記蓋部３５が閉状態のときに、この蓋部３５の上やコントロールパネル３２の上に水がこぼれてしまった場合、こぼれた水は前記図３に示す枠体部３３に形成した溝部３３ａによってコネクタ部３１内へ流れることを防止している。そして、万一、この溝部３３ａから水が溢れ出てコネクタ部３１方向に流れ出た場合には、防水枠３３ｂによってコネクタ部３１内への流れ込みが防止される構造になっている。
【００２６】
つまり、蓋部３５を閉状態にしておくことにより、コネクタ部３１内への水の流れ込みが防止されるとともに、長期間使用しない状態で放置する場合には閉じられた蓋部３５によって埃等がコネクタ部３１内に侵入して電気接点に不具合が発生することが防止される。
【００２７】
そして、図５に示すように蓋部３５を開いた状態にして露出されたコネクタ部３１には例えば超音波内視鏡２のプローブコネクタ部２２が接続される。
なお、前記蓋部３５及び枠体部３３には前記コネクタ部３１にプローブコネクタ部２２を接続した状態でもこの蓋部３５を閉じることができるように、前記プローブコネクタ部２２の折れ止め部材２３に対応する位置には逃げ部３５ａ，３３ｃが形成してある。
【００２８】
また、前記診断装置本体３は、ＩＣ化技術等、近年の高密度実装技術を用いることで小型化、特に薄型化を図ったものであり、この診断装置本体３内には前記コネクタ部３１に接続されたプローブコネクタ部２２を介して超音波信号の送受信及びビーム形成等を行う超音波送受信回路や、前記コントロールパネル３２の各種スイッチに接続されたコントロールパネル制御回路、前記超音波送受信回路から伝送された電気信号から映像信号であるビデオ信号を生成して表示装置に出力するビデオ信号生成回路等が設けられている。
【００２９】
ここで、蓋部３５の枠体部３３への取付け構造を説明する。
図６に示すように蓋部３５と枠体部３３とは回転軸１１によって回動可能に連結されている。この回転軸１１には付勢バネ１２とクッションバネ１３とが配置されている。前記付勢バネ１２及びクッションバネ１３のそれぞれ一端部は、枠体部３３の所定位置に配置され、他端部は前記蓋部３５の開閉状態によってそれぞれ所定の状態で前記蓋部３５の裏面に接触するように配置されいる。そして、前記付勢バネ１２は、常時、蓋部３５を開く方向に付勢力が作用するように配置されている。
【００３０】
なお、符号１４はカバー部材である。このカバー部材１４は、前記付勢バネ１２及び前記クッションバネ１３が露出しないように覆って、見た目の向上と危険防止の役割をしている。また、符号３５ｂは前記蓋部３５に設けられた当て付け部であり、符号３３ｄは前記枠体部３３に設けられ、前記当て付け部３５ｂに当接してこの蓋部３５の最大開状態位置を設定するストッパーである。
【００３１】
図７に示すように前記レバー３８にはレバー付勢バネ１６が配置されている。このレバー付勢バネ１６の付勢力は、前記レバー３８を図の実線に示す位置に保持するように作用する。そして、このレバー３８を前記レバー付勢バネ１６の付勢力に抗して二点鎖線に示す位置まで回動させたとき、前記レバー３８が係止爪３６から外れて、この蓋部３５が前記付勢バネ１２の付勢力によって開状態位置に向かって移動していく。
【００３２】
図８に示すように前記蓋部３５は、前記クッションバネ１３の端部が蓋部３５の裏側に設けた当て付け部３５ｂに当接することによって、所定の開状態位置に保持される。
【００３３】
なお、このときの蓋部３５の所定の開状態位置とは、前記コネクタ部３１へプローブコネクタ部２２を着脱する際、この蓋部３５が邪魔にならない位置であるとともに、後述するトロリーや周辺機器（不図示）に前記蓋部３５が当たることのない位置である。
【００３４】
図８に示した前記蓋部３５の開状態位置で、さらに矢印Ｆ方向に力が加えられた場合、前記蓋部３５は図９に示す前記当て付け部１９が枠体部３３に設けられているストッパー３３ｄに当接する最大開状態位置まで移動可能である。
【００３５】
つまり、矢印Ｆ方向への力が加えられると、前記蓋部３５は前記クッションバネ１３の付勢力に抗して矢印Ｆ方向に移動するが、前記当て付け部１９が前記ストッパー３３ｄに当接して前記蓋部３５の移動が停止される。そして、前記矢印Ｆ方向への力が緩められることにより、前記蓋部３５は再び図８に示した開状態位置に復帰する。
【００３６】
つまり、前記クッションバネ１３は、前記蓋部３５が開状態位置にあるとき、前記矢印Ｆ方向に力が加わると、前記蓋部３５を矢印Ｆ方向とは逆方向に付勢する。したがって、前記クッションバネ１３の付勢力は、蓋部３５の矢印Ｆ方向への動きを緩衝させる破損防止作用として働く。
【００３７】
一方、前記図８に示した蓋部３５の位置から前記付勢バネ１２の付勢力に抗して前記蓋部３５を閉じていくと、前記レバー３８が係止爪３６に当接して二点鎖線の位置まで回動しながら前記係止爪３６を乗り越えて、前記図７の実線に示した係止爪３６とレバー３８とが係止されて、閉状態に保持される。
【００３８】
このように、診断装置本体の上面側にコネクタ部を設けたことによって超音波診断装置本体の小型化及び薄型化を図ることができる。
このことにより、図１０（ａ）に示すように薄型に形成した診断装置本体３を、内視鏡画像及び超音波画像を表示する表示装置であるモニタ２４及び図示しない内視鏡に照明光を供給する光源装置２５、前記内視鏡でとらえた画像を前記モニタ２４に表示させる信号に変換する画像処理回路等を備えたビデオプロセッサ２６、内視鏡画像や超音波画像を動画記録するビデオ記録装置２７や、内視鏡画像や超音波画像を静止画記録する記録装置２８とともに、例えば、トロリー５の引き出しトレイ５ａに載置して使用者の所望する内視鏡観察及び超音波診断が可能なシステムが１台のトロリー５上に構築される。そして、前記引き出しトレイ５ａは、診断等の使用状態においては図１０（ｂ）の破線に示すように引き出され、前記蓋部３５を破線に示すように開状態にして使用する。
【００３９】
また、コネクタ部に臨み、枠体上面開口を覆う蓋部を枠体部に回動自在に設け、この蓋部を枠体上面開口に対して開閉自在な構造にしたことによって、蓋部を回動させて容易に枠体上面開口を開状態又は閉状態にすることができる。
【００４０】
このことによって、コネクタ部の電気接点が水や埃によって不具合が発生することが防止されるとともに、使用者は蓋の開閉の煩わしさから開放される。
【００４１】
なお、上述した実施形態では図１０に示したように引き出しトレイ５ａ上に載置されている超音波診断装置本体３のコネクタ部３１に超音波内視鏡２のプローブコネクタ部２２を抜き差しする際、この超音波診断装置本体３が引き出しトレイ５ａ上で不用意に動くおそれがある。また、前記超音波診断装置本体３が不用意に動いてしまうことによって、例えば背面に位置する電気ケーブルが屈曲して、ダメージを受けるおそれがある。
【００４２】
これらの不具合に対処するため、従来の技術である図１１に示すような構造を適用することも容易に考えられる。この構造は、キーボード５０等の筐体表面にネジ穴を設け、このキーボード５０をキーボードトレイ５１に対してネジ５２で固定するものであり、例えば図に示すようにキーボードアタッチメント５３を介在させてキーボードトレイ５１にキーボード５０を固定するようにしてもよい。
【００４３】
しかしながら、図１１に示した従来技術の構造を適用して、前記超音波診断装置本体３を引き出しトレイ５ａに固定する場合、超音波診断装置本体３が引き出しトレイ５ａ上で不用意に動く不具合は確実に解消されるが、着脱に手間がかかるばかりでなく、筐体外表面の清拭が面倒になるという不具合がある。このため、メンテナンス性を改善することを目的に、引き出しトレイ５ａから超音波診断装置本体３を容易に着脱することが可能な構造が望まれていた。
【００４４】
そこで、本実施形態においては以下の構成で、超音波診断装置本体３を引き出しトレイ５ａ上に載置する。
図１２（ａ）、（ｂ）、（ｃ）に示すように本実施形態ではトレイユニット６１を、トロリー５の支柱５５に第１のネジ５６で固定されている取付けプレート６２に第２のネジ５７で固定している。そして、このトレイユニット６１には固定棚部６３に対してリニアスライダー機構７０によって前後に移動する可動棚部６４が設けてある。
【００４５】
この可動棚部６４には診断装置本体３やこの診断装置本体３にＤＣ電源を供給するＡＣ電源アダプター２９及びケーブル状のリンク部材５８が載置されており、前記ＡＣ電源アダプタ２９はベルクロ等の締結部材５９によって所定位置に固設されている。
【００４６】
図１３（ａ）に示すように前記診断装置本体３の底面３ｂには前記可動棚部６４に一体的に設けた固定フック６５又は図１３（ｃ）に示すように別体に設けたフック６６に対してそれぞれ嵌合する嵌合部６７ａを備えた嵌合部材６７（図１３（ｅ）参照）がネジ７１は図１３（ｂ）に示すように底面３ｂに一体に固定されている。
【００４７】
また、本図で示すように前記底面３ｂの前方側には前記固定棚部６３にネジ固定されたスプリングラッチ６８を引っかける引掛け部材６９がネジ部材７２によって一体的に固定してある。
【００４８】
このことにより、診断装置本体３の底面３ｂに固定された嵌合部材６７を、前記可動棚部６４のフック６６に嵌合させた後、フリーな状態のスプリングラッチ６を引掛け部材６９に対して引き起こした状態にして係止させることにより、診断装置本体３が前記可動棚部６４に固定される。
【００４９】
そして、この固定後、診断装置本体３に結線されているケーブルを前記リンク部材５８上に這い回し、このリンク部材５８上のバインダー７３で結束する。
【００５０】
このことにより、例えばプローブコネクタ部２２を診断装置本体３のコネクタ部３１に抜き差しする際、引き出しトレイ５ａ上で診断装置本体３が抜き差しの動作につられて、トレイ５ａ上で不用意に動くことが防止される。
【００５１】
また、超音波診断装置３をワンタッチで引き出しトレイ５ａに着脱させることが可能であるので、使い勝手が良く、診断装置本体のメンテナンス性が良好になる。
【００５２】
なお、本発明は、以上述べた実施形態のみに限定されるものではなく、発明の要旨を逸脱しない範囲で種々変形実施可能である。
【００５３】
［付記］
以上詳述したような本発明の上記実施形態によれば、以下の如き構成を得ることができる。
【００５４】
（１）先端部に超音波振動子を備え、基端部に電気的接続部を有する超音波プローブと、前記電気的接続部を介して電気的に接続され、前記超音波振動子の制御等を行う操作部を有する超音波診断装置本体とを具備する超音波診断装置において、
前記超音波診断装置本体の上面側に、前記電気的接続部が着脱自在に接続されるコネクタ部と、
このコネクタ部の周囲に配され上面開口を形成する枠体部と、
この枠体部に係合して前記上面開口に対して開閉する蓋部と、
を設けた超音波診断装置。
【００５５】
（２）前記蓋部を開操作するレバーを備える付記１記載の超音観測断装置。
【００５６】
（３）前記レバーの開操作により、前記蓋部は所定の開状態で停止する付記２記載の超音波診断装置。
【００５７】
（４）前記枠体部に電源スイッチに連動した発光体を設置する一方、前記蓋部に前記発光体の発する光を導光する光学部材を設けた付記１記載の超音波診断装置。
【００５８】
（５）前記蓋部は、前記コネクタ部に前記電気的接続部を接続した状態で、閉状態になる付記１記載の超音波診断装置。
【００５９】
（６）ワンタッチでトロリー用トレーに着脱可能にするために係止機構を備える付記１記載の超音波観測装置。
【００６０】
【発明の効果】
以上説明したように本発明によれば、装置本体の小型化、特に薄型化を図り、コネクタ開口に水がかかることや、埃が溜まることを防止した超音波診断装置を提供することができる。
【図面の簡単な説明】
【図１】図１ないし図１３は本発明の一実施形態に係り、図１は超音波診断装置を説明する図
【図２】超音波診断装置本体を示す図
【図３】図２のＢ−Ｂ線断面図
【図４】図２のＣ−Ｃ線断面図
【図５】コネクタ部へ超音波内視鏡のプローブコネクタ部を接続した状態を示す図
【図６】図２のＤ−Ｄ線断面図
【図７】図２のＥ−Ｅ線断面図
【図８】蓋部の開状態位置を示す図
【図９】蓋の最大開状態位置を示す図
【図１０】超音波診断装置本体をトロリーに載置させて内視鏡診断及び超音波診断が可能なシステムを示す図
【図１１】超音波診断装置本体に接続するキーボードをトロリーのトレイに固定する従来の構造を説明する図
【図１２】引き出しタイプのトレイと超音波診断装置本体との関係を説明する図
【図１３】超音波診断装置本体の取付け構造を説明する図
【図１４】図１４及び図１５は従来例に係り、図１４は超音波診断装置本体に設けられたコネクタ部の接続口位置を説明する図
【図１５】内視鏡／超音波診断装置を説明する図
【符号の説明】
１…超音波診断装置
２…超音波内視鏡
３…超音波診断装置本体
２２…プローブコネクタ部
３１…コネクタ部
３３…枠体部
３４…枠体上面開口
３５…蓋部
３７…ＬＥＤ
３９…導光部材
【図１】
0003699906.tif 000002
【図２】
0003699906.tif 000003
【図３】
0003699906.tif 000004
【図４】
0003699906.tif 000005
【図５】
0003699906.tif 000006
【図６】
0003699906.tif 000007
【図７】
0003699906.tif 000008
【図８】
0003699906.tif 000009
【図９】
0003699906.tif 000010
【図１０】
0003699906.tif 000011
【図１１】
0003699906.tif 000012
【図１２】
0003699906.tif 000013
【図１３】
0003699906.tif 000014
【図１４】
0003699906.tif 000015
【図１５】
0003699906.tif 000016